(57)【要約】      （修正有）【課題】  チップが筒先に対して筒先の軸線方向に沿わない方向に係止される不都合を確実に回避し得るチップ係止具を提供する。【解決手段】引込棒１と、引込棒１の先端から前側に突出する支持体２と、支持体２の先端から各々が斜め前側に延出し、チップの基端側部分を把持し筒先内に引き込まれたチップの抜脱を防止する複数の爪片３と、筒先内に引き込まれたチップの軸線方向の位置決めをする位置決め手段４とを備え、チップが引込棒１を介して筒先内に引き込まれることでチップを爪片及び支持体２とともに筒先に係止するチップ係止具であって、爪片は、各先端側部分が内側に折り曲げられることで、引込棒１の軸線方向に沿って形成された各区間からなり、把持したチップの方向を拘束する一組の方向拘束区間３１を有している。【選択図】図１
2006263004.tif 000002
【特許請求の範囲】
【請求項１】
引込棒と、この引込棒の先端から前側に向けて突出する支持体と、この支持体の先端から各々が斜め前側に向けて延出し、チップの基端側部分を把持するとともに筒先内に引き込まれたチップが抜脱することを防止する複数の爪片と、筒先内に引き込まれたチップの軸線方向における位置決めをする位置決め手段とを備え、前記爪片によって基端側部分を把持させたチップが前記引込棒を介して筒先内に引き込まれることにより当該チップを当該爪片及び支持体とともに該筒先に係止するチップ係止具であって、
前記爪片は、各先端側部分が内側に折り曲げられることで、該折り曲げられた各先端側部分において前記引込棒の軸線方向に沿うように形成された各区間からなり、把持したチップの方向を拘束する一組の方向拘束区間を有していることを特徴とするチップ係止具。
【請求項２】
前記支持体の先端から前記爪片の内側に向けて突出し、該爪片に把持されたチップの底部を支承する支承部を備えたことを特徴とする請求項１に記載のチップ係止具。
【請求項３】
前記爪片は、前記各先端側部分の更に先端側部分である各先先端側部分が外側に折り曲げられることで、該折り曲げられた各先先端側部分からなり、チップの基端側部分を一組の方向拘束区間まで案内する一組の案内区間を有していることを特徴とする請求項１又は２に記載のチップ係止具。
【請求項４】
前記爪片の内周面には、筒先内に引き込まれたチップの外周面にめり込むことで、チップが筒先内に引き込まれた爪片内から抜脱することを防止する凸部が設けられていることを特徴とする請求項１〜３のいずれか一項に記載のチップ係止具。
【請求項５】
前記爪片の内周面には、把持したチップの外周面に引っ掛かることで、チップが爪片内から抜脱することを防止するフックが設けられていることを特徴とする請求項１〜４のいずれか一項に記載のチップ係止具。
【発明の詳細な説明】
【技術分野】
【０００１】
本発明は、アイシャドウやファンデーション等の化粧料を塗布するためのチップを筒状部材の筒先に係止する目的に用いられるチップ係止具に関する。
【背景技術】
【０００２】
従来のチップ係止具としては、例えば引込棒と、この引込棒の先端から前側に向けて突出する支持体と、この支持体の先端から各々が斜め前側に向けて延出し、チップの基端側部分を把持するとともに筒先内に引き込まれたチップが抜脱することを防止する複数の爪片と、筒先内に引き込まれたチップの軸線方向における位置決めをする位置決め手段とを備え、複数の爪片により基端側部分を把持させたチップが引込棒を介して後側から筒状部材内に引き込まれることによりチップを爪片及び支持体とともに筒状部材の筒先に係止するものが開示されている（例えば、特許文献１参照）。
【特許文献１】実公平６−２５２１９号公報
【発明の開示】
【発明が解決しようとする課題】
【０００３】
しかしながら、このようなチップ係止具では、支持体の先端から各々が斜め前側に向けて延出する複数の爪片の間にチップの基端側部分を挟み付けてチップを把持するものであることから、チップを引込棒の軸線方向に沿う方向に把持させることが実際上かなり困難である。
【０００４】
また、チップを引込棒の軸線方向に沿う方向に把持させることができなかった場合、そのようなチップを引込棒を引っ張って筒状部材内に引き込むこととすると、引込棒を筒状部材の軸線方向に沿う方向に正しく引っ張ったとしても、チップが筒状部材の筒先に対して筒状部材の軸線方向に沿わない方向に係止されることとなる不都合を生ずる。
【０００５】
さらに、チップを引込棒の軸線方向に沿う方向に把持させることができたとしても、そのようなチップは各々が斜め前側に向けて延出する複数の爪片の間に不安定な状態で把持されているに過ぎないため、チップを筒状部材の軸線方向に沿う方向に係止させることは、相当に困難であると考えられる。
【０００６】
そこで、本発明の課題は、チップが筒状部材の筒先に対して筒状部材の軸線方向に沿わない方向に係止される不都合を確実に回避することができ、チップを筒状部材に組み付ける際の作業負担の軽減を図ることができるチップ係止具を提供することにある。
【課題を解決するための手段】
【０００７】
上記課題を解決するため、本発明に係るチップ係止具は、引込棒と、この引込棒の先端から前側に向けて突出する支持体と、この支持体の先端から各々が斜め前側に向けて延出し、チップの基端側部分を把持するとともに筒先内に引き込まれたチップが抜脱することを防止する複数の爪片と、筒先内に引き込まれたチップの軸線方向における位置決めをする位置決め手段とを備え、爪片によって基端側部分を把持させたチップが引込棒を介して筒先内に引き込まれることによりチップを爪片及び支持体とともに筒先に係止するチップ係止具であって、爪片は、各先端側部分が内側に折り曲げられることで、折り曲げられた各先端側部分において引込棒の軸線方向に沿うように形成された各区間からなり、把持したチップの方向を拘束する一組の方向拘束区間を有していることを特徴としている。
【０００８】
ここで、チップには、発泡体、スポンジ、フロック、剛毛その他の材料からなるものを含み、球形状、柱形状、砲弾形状その他の形状を有するものが含まれる。
【０００９】
また、一組の方向拘束区間としては、複数の爪片の全本数にそれぞれ形成した各区間からなるもののみならず、複数の爪片の一部本数にそれぞれ形成した各区間からなるものをも含み、少なくとも二本の爪片にそれぞれ形成した各区間からなるものを用いることが可能である。
【００１０】
このようなチップ係止具によれば、複数の爪片が把持したチップの方向を引込棒の軸線方向に沿う方向に拘束する一組の方向拘束区間を有しているので、チップを引込棒の軸線方向に沿う方向に確実かつ安定的に把持することが可能となる。
【００１１】
したがって、これによれば、チップが筒状部材の筒先に対して筒状部材の軸線方向に沿わない方向に係止されることとなる不都合を確実に回避することが可能となり、チップを筒状部材に組み付ける際の作業負担の軽減を十分に図ることが可能となる。
【００１２】
このような技術的手段において、チップを横側からだけでなく後側からも支持し得るようにして、チップをより確実かつ安定的に把持しようとする観点からすれば、引込棒の先端から爪片の内側に向けて突出し、爪片によって把持されたチップの底部を支承する支承部を備えたことが好ましい。
【００１３】
また、チップを一組の方向拘束区間内に迅速かつ容易にセットし得るようにして、チップを筒状部材の筒先に組み付ける際の作業負担の軽減をより十分に図るという観点からすれば、爪片は、各先端側部分の更に先端側部分である各先先端側部分が外側に折り曲げられることで、折り曲げられた各先先端側部分からなり、チップの基端側部分を一組の方向拘束区間まで案内する一組の案内区間を有していることが好ましい。
【００１４】
さらに、筒先内に引き込まれたチップに対して爪片が発揮することとなる把持力を可及的に高めるようにして、チップを筒状部材の筒先に係止するという本発明の基本的機能を担保しようとする観点からすれば、爪片の内周面には、筒先内に引き込まれたチップの外周面にめり込むことで、チップが筒先内に引き込まれた爪片内から抜脱することを防止する凸部が設けられていることが好ましい。
【００１５】
さらにまた、チップをより一層確実かつ安定的に把持するとともに、チップを筒状部材の筒先に組み付ける際の作業負担の軽減をより一層十分に図るという観点からすれば、爪片の内周面には、把持したチップの外周面に引っ掛かることで、チップが爪片内から抜脱することを防止するフックが設けられていることが好ましい。
【発明の効果】
【００１６】
本発明に係るチップ係止具によれば、チップが筒状部材の筒先に対して筒状部材の軸線方向に沿わない方向に係止される不都合を確実に回避することができ、チップを筒状部材に組み付ける際の作業負担の軽減を十分に図ることができる。
【発明を実施するための最良の形態】
【００１７】
以下、添付図面を参照して、本発明の実施の形態を詳細に説明する。
【００１８】
図１は本発明の一実施の形態に係るチップ係止具の全体構成を示す斜視図、図２は同チップ係止具の全体構成を示す斜視図（一部断面図を含む）、図３は同チップ係止具の全体部分構成を示す斜視図（チップを把持したところ）、図４は同チップ係止具により把持されたチップが筒状部材内に引き込まれる前の外観を示す斜視図、図５は同チップ係止具により把持されたチップが筒状部材内に引き込まれた後の外観を示す斜視図、図６は同チップ係止具により把持されたチップが筒状部材内に引き込まれる直前の外観を示す拡大斜視図、図７は図６の状態を示す縦断面図、図８は同チップ係止具により把持されたチップが筒状部材内に引き込まれた後の外観を示す拡大斜視図、図９は図８の状態を示す縦断面図、である。
【００１９】
なお、符号７は、筒状部材、符号７ａは、筒状部材７の先端側部分を形成する筒先、符号８は、筒先７に装着される筒状のキャップ８、を示している。
【００２０】
本実施の形態において、チップ係止具は、例えばアイシャドウやファンデーション等の化粧料を塗布するためのチップ１０を筒状部材７の筒先７ａに係止する役割を果たすものとして構成されている。
【００２１】
そして、このチップ係止具は、図１〜図３、図７に示すように、引込棒１と、支持体２と、複数の爪片３と、位置決め手段４と、連結部５と、支承部６とを備えたものとして構成されている。
【００２２】
以下、これらの各構成要素についてさらに詳細に説明する。
【００２３】
（１）引込棒１
【００２４】
引込棒１は、図４及び図５に示すように、チップ１０を複数の爪片３及び支持体２とともに筒状部材７の筒先７ａに係止するに当たって、複数の爪片３により基端側部分１０ａを把持させたチップ１０を後側から筒状部材７内に引き込むときに用いられるものとして構成されている。
【００２５】
引込棒１は、図１〜図３、図７に示すように、把持されたチップ１０を筒状部材７内に引き込むに際に作業者が手で掴む部分を含む後端側部分１ａと、後端側部分１ａに比してねじり剛性を大きく（外径を大きく）形成され、後述する連結部５に隣接する部分を含む先端側部分１ｂとからなっている。
【００２６】
このような引込棒１により、複数の爪片３により基端側部分１０ａを把持させたチップ１０を後側から筒状部材７内に引き込むことが可能となっており、これによりチップ１０を複数の爪片３及び支持体２とともに筒状部材７の筒先７ａに係止することが可能となっている（図４及び図５参照）。
【００２７】
（２）支持体２
【００２８】
支持体２は、図１〜図４、図７及び図９に示すように、後述する複数の爪片３の各々が斜め前側に向けて延出する形状を維持し得るよう各爪片３の基端部を支持する役割を果たす。
【００２９】
具体的には、支持体２は、これらの図に示すように、引込棒１の先端から前側に向けて突出するものとして構成されている。
【００３０】
支持体２は、これらの図に示すように、引込棒１の先端側部分１ｂと同様、引込棒１の後端側部分１ａに比してねじり剛性を大きく（外径を大きく）形成されている。
【００３１】
このような支持体２及び後述する複数の爪片３により、チップ１０の基端側部分１０ａを把持するという本実施の形態に係るチップ係止具の前提的機能を担保することが可能となっている（図３、図４、図７及び図９参照）。
【００３２】
具体的には、本実施の形態における支持体２は、図１〜図４、図７及び図９に示すように、軸線方向に沿って延びる柱形状に形成されている。
【００３３】
（３）複数の爪片３
【００３４】
複数の爪片３は、図１〜図４、図７及び図９に示すように、支持体２の先端から各々が斜め前側に向けて延出するものとして構成されている。
【００３５】
ここで、複数の爪片３は、縮開可能であるが、チップ１０の基端側部分１０ａを把持し得る形状に原形復帰する弾性を有している。
【００３６】
このような複数の爪片３及び前述した支持体２により、チップ１０の基端側部分１０ａを把持するという本実施の形態に係るチップ係止具の前提的機能を担保することが可能となっている（図３、図４、図６及び図７参照）。
【００３７】
加えて、このような複数の爪片３により、把持したチップ１０の基端側部分１０ａが筒先７ａ内に引き込まれた場合に、複数の爪片３の外側部が筒状部材７の筒先７ａの内側部によって拘束されることを通じてチップ１０の基端側部分１０ａを横側から締め付けることが可能となっており、これにより筒状部材７の筒先７ａ内に引き込まれたチップ１０の筒先７ａ内からの抜脱を防止することを通じて、チップ１０、複数の爪片３及び支持体２を筒状部材７の筒先７ａに係止するという本実施の形態に係るチップ係止具の基本的機能を担保することが可能となっている（図５及び図９参照）。
【００３８】
本実施の形態において、複数の爪片３は、図１〜図３、図６及び図７に示すように、各先端側部分が内側に折り曲げられることにより、折り曲げられた各先端側部分において引込棒１の軸線方向に沿うように形成された各区間からなり、把持したチップ１０の方向を引込棒１の軸線方向に沿う方向に拘束する一組の方向拘束区間３１を有している。
【００３９】
このように、複数の爪片３に一組の方向拘束区間３１を有していることを要求するのは、チップ１０を引込棒１の軸線方向に沿う方向に確実かつ安定的に把持し得るようにすることにより、チップ１０が筒状部材７の筒先７ａに対して筒状部材７の軸線方向に沿わない方向に係止されることとなる不都合を確実に回避し得るチップ係止具とするためである（図３、図４、図５、図６、図７及び図９参照）。したがって、このような役割を果たすものであれば、本発明において先端側部分の一部が一組の方向拘束区間３１となっている複数の爪片３の代わりに、先端側部分の全部が一組の方向拘束区間となっている複数の爪片その他の複数の爪片を用いてもよい。
【００４０】
また、本実施の形態における複数の爪片３は、図１〜図３、図６及び図７に示すように、各先端側部分の更に先端側部分である各先先端側部分が外側に折り曲げられることで、折り曲げられた各先先端側部分からなり、チップ１０の基端側部分１０ａを一組の方向拘束区間３１まで案内する一組の案内区間３２を有している。
【００４１】
このような複数の爪片３により、チップ１０を一組の方向拘束区間３１内に迅速かつ容易にセットすることが可能となっており、これにより、チップ１０を筒状部材７に組み付ける際の作業負担の軽減をより十分に図ることが可能となっている（図２及び図３参照）。
【００４２】
さらに、本実施の形態においては、図１、図２、図７及び図９に示すように、複数の爪片３の内周面に、筒状部材７の筒先７ａ内に引き込まれたチップ１０の外周面にめり込むことで、チップ１０が筒先７ａ内に引き込まれた複数の爪片３内から抜脱することを防止する凸部３ａが設けられている。
【００４３】
このような凸部３ａにより、筒先７ａ内に引き込まれたチップ１０に対して複数の爪片３が発揮することとなる把持力を相当に高めることが可能となっており、これにより、チップ１０を筒状部材７の筒先７ａに係止するという本発明の基本的機能を担保することが可能となっている（図９参照）。
【００４４】
また、図１、図２、図７及び図９に示すように、複数の爪片３の内周面に、把持したチップ１０の外周面に引っ掛かることで、チップ１０が複数の爪片３内から抜脱することを防止するフック３ｂが設けられている。本実施の形態におけるフック３ｂは、これらの図に示すように、先の尖った突起として構成されている。
【００４５】
このようなフック３ｂにより、チップ１０をより一層確実かつ安定的に把持するとともに、チップ１０を筒状部材７に組み付ける際の作業負担の軽減をより一層十分に図ることが可能となっている（図７参照）。
【００４６】
なお、本実施の形態におけるフック３ｂは、前述した凸部３ａと同様に、筒先７ａ内に引き込まれたチップ１０に対して複数の爪片３が発揮することとなる把持力を相当に高める役割をも果たす（図９参照）。
【００４７】
（４）位置決め手段４
【００４８】
位置決め手段４は、図７及び図９に示すように、筒先７ａ内に引き込まれたチップ１０の軸線方向における位置決めをする役割を果たす（図１〜図３参照）。
【００４９】
位置決め手段４は、図７及び図９に示すように、筒先７ａの内周面において内側に向けて突出するとともに周方向に沿うように形成された突条４ａ（又は溝）と、支持体２及び複数の爪片３の外周面において周方向に沿って形成された突条４ａ（又は溝）と嵌り合う溝４ｂ（又は突条）とからなっている（図１〜図３参照）。
【００５０】
このような位置決め手段４により、筒先７ａ内に引き込まれたチップ１０を複数の爪片３及び支持体２とともに軸線方向において固定することが可能となっており、これにより、チップ１０、複数の爪片３及び支持体２を筒状部材７の筒先７ａに係止するという本実施の形態に係るチップ係止具の基本的機能を担保することが可能となっている（図９参照）。
【００５１】
（５）連結部５
【００５２】
連結部５は、図１〜図４、図７及び図９に示すように、支持体２と引込棒１の先端側部分１ｂとが連結される部分であって、支持体２や引込棒１に比して極めて細く形成されている。
【００５３】
このような連結部５により、チップ１０、複数の爪片３、支持体２及び引込棒１を筒状部材７の筒先７ａに係止した後において作業者が筒状部材７の後端から後側に向けて延出する引込棒１の後端側部分１ａを手で掴むことによりねじり取る（折れ取る）ことが可能となっている（図６及び図７参照）。
【００５４】
（６）支承部６
【００５５】
支承部６は、図１、図２、図７及び図９に示すように、複数の爪片３によってチップ１０が把持された場合におけるチップ１０の底部を支承する役割を果たす。
【００５６】
支承部６は、これらの図に示すように、引込棒１の先端から複数の爪片３の内側に向けて突出するものとして構成されている。
【００５７】
このような支承部６により、チップ１０を横側からだけでなく後側からも支持することが可能となっており、これにより、チップ１０をより確実かつ安定的に把持することが可能となっている（これらの図参照）。
【００５８】
以上説明したように、本実施の形態におけるチップ係止具によれば、複数の爪片３が把持したチップ１０の方向を引込棒１の軸線方向に沿う方向に拘束する一組の方向拘束区間３１を有しているので、チップ１０を筒状部材７の筒先７ａに対して係止するに当たって、チップ１０を引込棒１の軸線方向に沿う方向に確実かつ安定的に把持することが可能となっている。
【００５９】
したがって、このようなチップ係止具によれば、チップ１０が筒状部材７の筒先７ａに対して筒状部材７の軸線方向に沿わない方向に係止されることとなる不都合を確実に回避することが可能となっており、これにより、チップ１０を筒状部材７に組み付ける際の作業負担の軽減を十分に図ることが可能となっている。
【図面の簡単な説明】
【００６０】
【図１】本発明の一実施の形態に係るチップ係止具の全体構成を示す斜視図である。
【図２】同チップ係止具の全体構成を示す斜視図（一部断面図を含む）である。
【図３】同チップ係止具の全体部分構成を示す斜視図（チップを把持したところ）である。
【図４】同チップ係止具により把持されたチップが筒状部材内に引き込まれる前の外観を示す斜視図である。
【図５】同チップ係止具により把持されたチップが筒状部材内に引き込まれた後の外観を示す斜視図である。
【図６】同チップ係止具により把持されたチップが筒状部材内に引き込まれる直前の外観を示す拡大斜視図である。
【図７】図６の状態を示す縦断面図である。
【図８】同チップ係止具により把持されたチップが筒状部材内に引き込まれた後の外観を示す拡大斜視図である。
【図９】図８の状態を示す縦断面図である。
【符号の説明】
【００６１】
１ 引込棒
１ａ 後端側部分
１ｂ 先端側部分
２ 支持体
３ 複数の爪片
３ａ 凸部
３ｂ フック
４ 位置決め手段
４ａ 突条
４ｂ 溝
５ 連結部
６ 支承部
７ 筒状部材
７ａ 筒先
８ キャップ
１０ チップ
１０ａ 基端側部分
３１ 一組の方向拘束区間
３２ 一組の案内区間
【図１】
2006263004.tif 000003
【図２】
2006263004.tif 000004
【図３】
2006263004.tif 000005
【図４】
2006263004.tif 000006
【図５】
2006263004.tif 000007
【図６】
2006263004.tif 000008
【図７】
2006263004.tif 000009
【図８】
2006263004.tif 000010
【図９】
2006263004.tif 000011